(57)【要約】【課題】瓦本体に対し雪止体を単に接着しただけでは一体性に劣る。【解決手段】陶磁器製の平板状の瓦本体１の上面における頭側部位に未貫通の２個の取付孔３、3aを幅方向に並列形成し、上記瓦本体１と同材質で門形状の雪止体２の両下端面４、4aに、上記取付孔３、3aへの挿入突部５、5aを形成し、雪止体２の両下端面４、4aを瓦本体の上面に接地させると共に上記取付孔３、3aと雪止体２の挿入突部５、5aとの間に接着材６を充填して瓦本体１に対し雪止体２を固定する。瓦本体１への雪止体２の一体性が向上して耐用荷重が増大するため、雪止体２の脱落危険性を軽減させることが可能になる。【選択図】図３
2010281104.tif 000002
【特許請求の範囲】
【請求項１】
陶磁器製の平板状の瓦本体と該瓦本体と同材質で門形状の雪止体を有し、瓦本体の上面における頭側部位又は雪止体の両下端面のどららか一方に未貫通の２個の取付孔を形成すると共に、他方に上記取付孔の深さより短い挿入突部を形成し、上記取付孔と該取付孔に挿入状態の上記挿入突部との間に接着材を充填して瓦本体に対し雪止体を固定したことを特徴とする雪止平板瓦。
【請求項２】
雪止体は、両下端面に形成した挿設孔内に、該挿設孔より長い棒状体を挿設すると共に、上記挿設孔と棒状体との間に接着材を充填して雪止体に対し棒状体を固定し、該棒状体の下端面からの突出部位を挿入突部とし、瓦本体の上面に未貫通の２個の取付孔を幅方向に並列形成したことを特徴とする請求項１記載の雪止平板瓦。
【請求項３】
棒状体の下端に鍔部を形成したことを特徴とする請求項２記載の雪止平板瓦。
【請求項４】
棒状体の外周面に螺条を設けたことを特徴とする請求項２又は３記載の雪止平板瓦。
【発明の詳細な説明】
【技術分野】
【０００１】
本発明は、平板状の瓦本体に、該瓦本体とは別体の雪止体を組み付けた雪止平板瓦に関する。
【背景技術】
【０００２】
従来、雪止瓦にあっては、瓦本体に雪止体が一体化されたものであり、かかる雪止瓦は、平板上の荒地における突起形成箇所を上方へ隆起させた後にプレス成形することで突起を形成する方法や、金型側に設けた突起用のキャビティ内に、プレス前の荒地の余剰粘土を流入させて突起を形成する方法などにより成形されている。
【０００３】
先ず、前者の方法にあっては、そのまま突起を形成すると瓦下面における突起の直下部に切れ目が形成されてしまうことから、プレス金型における切れ目形成部位に相当する部位に粘土の強制排除手段を設けて、該強制排除手段によりプレス成形時に粘土を排除することで、切れ目が形成されずに突起を形成することが可能になり、後者の方法にあっては、押出成形された板状にして荒地をプレス金型に移入した後にプレス成形することで、上型に形成された輪型（雪止体）成形キャビティ内に余剰粘土が移行して輪型（雪止体）成形成形部を形成し、該輪型（雪止体）成形部をくり抜いて輪型（雪止体）を形成する様にしているが、上記従来成形方法にあっては、何れもプレス金型が複雑化で、荒地突起形成のために荒地材料の一部を突起形成箇所に移行させることにより不具合が発生し易かった。
【０００４】
又、別々に成形した瓦本体と雪止体とを連結一体化する様にした雪止瓦が上記成形方法とは別に以前から存在し、具体的には、下部に融雪水通過用の貫通孔が設け、長手方向が棟と平成対向になる様にして、接着剤により底面を屋根面（瓦上面）に接着固定することで、既存の屋根面にも取付可能にした落雪防止具が見受けられ（例えば、特許文献１参照）、又棧部の棧頂部より高い雪止め頂面を備え、谷部との間に隙間を形成する様に、棧部から谷部に亘る様に配置接着された弓形で瓦本体と同材質の雪止め帯を有した雪止瓦が見受けられる（例えば、特許文献２参照）。
【先行技術文献】
【特許文献】
【０００５】
【特許文献１】実公平７−４３３２４号公報（第２頁右欄第１０〜１５行目、同欄第３０〜３１行目、第１、３図）
【特許文献２】特開２００１−５５８１４号公報（第２頁右欄第２６〜２７行目、図１〜３）
【発明の概要】
【発明が解決しようとする課題】
【０００６】
しかし、上記特許文献１に記載の従来技術における雪止体にあっては、平坦な屋根面、瓦で例えるなら平板瓦の上面に接着されており、又上記特許文献２に記載の従来技術における雪止体にあっては、確かに瓦本体と同材質で瓦本体に対し接着する形式のものも含まれているが、単に接着するだけの構造で瓦本体との一体性に劣るため、積雪時に雪止体が脱落してしまう危険性が高いなど、解決せねばならない課題があった。
【課題を解決するための手段】
【０００７】
本発明は、上記従来技術に基づく、雪止体の瓦本体との一体性に劣る課題に鑑み、陶磁器製の平板状の瓦本体と該瓦本体と同材質で門形状の雪止体を有し、瓦本体の上面における頭側部位又は雪止体の両下端面のどららか一方に未貫通の２個の取付孔を形成すると共に、他方に上記取付孔の深さより短い挿入突部を形成し、上記取付孔と該取付孔に挿入状態の上記挿入突部との間に接着材を充填して瓦本体に対し雪止体を固定した雪止平板瓦によれば、瓦本体への雪止体の一体性が向上して、耐用荷重が増大して雪止体の脱落危険性を軽減させる様にして、上記課題を解決する。
【発明の効果】
【０００８】
要するに本発明は、陶磁器製の平板状の瓦本体の上面に、該瓦本体と同材質で門形状の雪止体の下端面を固定したので、瓦本体と雪止体を別個に成形出来、而もそれらの材質は同じ陶磁器製であるため、雪止体だけが目立たず、よって統一感があり且つ違和感のない瓦屋根を構築することが出来、更に既存の平板瓦を雪止平板瓦にすることも出来、又瓦本体の上面における頭側部位又は雪止体の両下端面のどららか一方に未貫通の２個の取付孔を形成すると共に、他方に上記取付孔の深さより短い挿入突部を形成し、上記取付孔と該取付孔に挿入状態の上記挿入突部との間に接着材を充填して瓦本体に対し雪止体を固定したので、瓦本体に対する雪止体の一体性の向上を図ることが出来る。
【０００９】
雪止体は、両下端面に形成した挿設孔内に、該挿設孔より長い棒状体を挿設すると共に、上記挿設孔と棒状体との間に接着材を充填して雪止体に対し棒状体を固定し、該棒状体の下端面からの突出部位を挿入突部とし、瓦本体の上面に未貫通の２個の取付孔を幅方向に並列形成したので、上記棒状体を陶磁器部より高強度の別材質にすることが出来るため、耐用強度の向上を図ることが出来る。
而も、棒状体の下端に鍔部を形成したので、瓦本体に対する雪止体の引抜強度を向上させることが出来るため、瓦本体への雪止体の一体性を更に向上させることが出来、更に棒状体の外周面に螺条を設けたので、雪止体に対する棒状体の引抜強度を向上させることが出来るため、雪止体への棒状体の一体性を更に向上させることが出来、よって瓦本体と雪止体がより強固に一体化した、耐用強度を更に向上させた雪止平板瓦を提供することが出来る等その実用的効果甚だ大である。
【図面の簡単な説明】
【００１０】
【図１】本発明に係る雪止平板瓦の斜視図である。
【図２】図１の雪止平板瓦の分解斜視図である。
【図３】図１のＸ−Ｘ断面の要部拡大図である。
【発明を実施するための最良の形態】
【００１１】
以下、本発明を実施するための最良の形態を図面に基づき説明する。
本発明に係る雪止平板瓦にあっては、陶磁器製の瓦本体１に、該瓦本体１とは別体であるが、瓦本体１と同材質の門形状に形成した雪止体２を組み付けた後付けタイプのものであり、上記瓦本体１の上面における頭側部位に未貫通の２個の取付孔３、3aを幅方向に並列形成し、上記雪止体２の両下端面４、4aに、上記取付孔３、3aの深さより短い挿入突部５、5aを形成し、上記雪止体２の両下端面４、4aを瓦本体１の上面に接地させると共に上記取付孔３、3aと雪止体２の挿入突部５、5aとの間に充填した接着材６により瓦本体１に雪止体２を固定している。
【００１２】
上記雪止体２は、両下端面４、4aを瓦本体１の上面に接地させ且つ中間部が上方へ持ち上がった、所謂門形状に成形され、両下端面４、4aを瓦本体１における上面に接地させるべく平坦面とし、この両下端面４、4aに挿設孔７、7aを形成している。
上記挿設孔７、7a内に、該挿設孔７、7aより長い金属製の棒状体８、8aを挿設すると共に、該棒状体８、8aと上記挿設孔７、7aとの間に接着材９を充填して雪止体２に棒状体８、8aを固定して、該棒状体８、8aの下端面４、4aからの突端部を上記挿入突部５、5aとしいる。
上記棒状体８、8aは、図３に示す様に、例えば長ネジの様な、下端に鍔部10、10a を、外周面に螺条11、11a を形成して、抜脱防止手段としても良い。
又、棒状体８、8aの中間部の下端側寄りに、瓦本体１側の取付孔３、3aの開口部を塞ぐパッキン13、13a を設けている。
【００１３】
尚、上記実施例では、瓦本体１に取付孔３、3aを、雪止体２に挿入突部５、5aを夫々形成しているが、瓦本体１に挿入突部５、5aを、雪止体２に取付孔３、3aを形成しても良く、瓦本体１は既存の平板瓦であっても良いことから、なるべく構造が簡単で加工処理し易い取付孔３、3aを形成するのが好ましい。
又、上記雪止体２は、図面上、両側部に一対の脚部12、12a を有する門形状に形成されているが、かかる形状に限定されず、図示しないが円弧形状であっても良く、要するに中央側が持ち上がり、両下端面４、4aが瓦本体１の上面に接地可能な形態であれば良い。
又、本願に係る雪止平板瓦は、図面上、瓦本体の両側が若干高い、所謂Ｕタイプの平板瓦であるが、フラットタイプの平板瓦であっても良い。
【００１４】
次に、本発明に係る雪止平板瓦の作用について説明する。
本願に係る雪止平板瓦は、平板瓦として製造された瓦本体１に取付孔３、3aを形成し、雪止体２は先ず陶磁器部位を製造し、挿設孔７、7aは焼成前後のどちらかで形成し、この挿設孔７、7aに接着材９を充填した後に、パッキン13、13a を取り付けた棒状体８、8aを挿設することで、挿設孔７、7aの中央に棒状体８、8aを位置させ、且つ陶磁器部位より高強度の挿入突部５、5aが形成され、且つ挿設孔７、7aを可能な限り深くすることで、棒状体８、8aの埋設長さが長くなって、雪止体２に対する棒状体８、8aが更に抜け難くなる。
【符号の説明】
【００１５】
１        瓦本体
２        雪止体
３、3a    取付孔
４、4a    下端面
５、5a    挿入突部
６        接着材
７、7a    挿設孔
８、8a    棒状体
９        接着材
10、10a   鍔部
11、11a   螺条
【図１】
2010281104.tif 000003
【図２】
2010281104.tif 000004
【図３】
2010281104.tif 000005